(57)【特許請求の範囲】
【請求項１】
間仕切り装置の据付等の建築内装工事を行うに際して、壁や天井、床を構成する各部材を加工する為に屋内に設置する防音間仕切りボックスにおいて、該防音間仕切りボックスは複数枚の間仕切りパネルをポールを介して連結することで側壁部を構成し、又天井部も間仕切りパネルを連結した構造とし、そして側壁部には入口となる開閉ドアを取付け、さらに側壁部や天井部の内面及び側壁部と床面のコーナーには防炎加工を施した防音クロスを着脱可能に貼着し、側壁部の外側下端部には巾木をマグネットを介して着脱自在に取着し、そして該巾木の上端には側壁面に密着して隙間を塞ぐシールを沿設し、同じく巾木の下端には床面に密着して隙間を塞ぐシールを沿設したことを特徴とする防音間仕切りボックス。
【請求項２】
防炎加工を施した上記防音クロスを貼着する手段としてマジックテープ（登録商標）を用いた請求項１記載の防音間仕切りボックス。
【発明の詳細な説明】
【技術分野】
【０００１】
本発明は間仕切り装置の据付け工事やその他の建築内装工事を行うに際して発生する騒音を抑制する為に屋内に設置される防音間仕切りボックスに関するものである。
【背景技術】
【０００２】
近年の建物は１フロアーがオープン状態で構築され、この大きな建物のフロアー内部の空間を所定の大きさに仕切る為に色々な間仕切り装置が据え付けられる。すなわち、間仕切り装置は建物本体から切り離して後で据え付けることが出来、部屋の大きさを自由に設定・変更することが可能であることから、各部屋(オフィス空間)を間仕切り装置にて仕切る場合が多い。
【０００３】
又、間仕切り装置にて仕切られた比較的大きなオフィス空間内で、個別の小さな空間を形成する為に背丈の低いパネルで構成されるローパーティションなるものも多用されている。さらに、上記間仕切り装置とは別に石こうボードと軽量鉄骨で構成される壁にて空間を仕切る場合もある。
【０００４】
ところで、上記間仕切り装置を据え付ける場合、一般に間仕切りパネル、スタッド（ポール）、床レール、天井レールなどの各部材が用いられ、床レールは床面に固定され、天井レールは天井面に固定され、間仕切りパネルは床レールと天井レールの間に据付けられる。
【０００５】
図６は一般的な間仕切り装置を表しているが、床レール（イ）の所々にはアジャスター（ロ）、（ロ）・・を配置すると共に、該アジャスター（ロ）、（ロ）・・に載って所定の高さに支持される巾木（ハ）に間仕切りパネル（ニ）が載置されている。そして、間仕切りパネル（ニ）の上端は天井レール（ホ）に嵌って位置決めされ、各間仕切りパネル（ニ）、（ニ）・・の間にはスタッド（ヘ）が介在して互いに連結している。
【０００６】
このように構成される間仕切り装置によってオフィス空間が仕切られるが、オフィスの大きさ(広さ)を後で変更する場合もあり、このような場合には既存の間仕切り装置を撤去して新たな間仕切り装置を据え付けることで別のオフィス空間を作ることが可能である。すなわち、間仕切り装置は建物本体を改造することなく、オフィス空間を自由に変更出来るように成っている。
【０００７】
ところで、既存の間仕切り装置を撤去して新たな間仕切り装置を据え付ける場合、オフィス空間の仕様に応じて間仕切りパネル、床レール、天井レール、スタッドなどを所定の寸法に切断加工し、又これら各部材を所定の場所にビス止めしなければならない。個々の部材は工場で製造されるが、間仕切り装置の据付け作業は現場作業となり、この際に発生する騒音は非常に大きなものとなる。
【０００８】
従来では、間仕切り装置の据付け工事に際しての騒音は付きものであり、致し方ないといった考えが現実である。そこで、従来では建物の同一階及び上下階の迷惑にならないように、オフィス空間での間仕切り装置の据付けは休日工事が主であり、又は夜間工事を行っている。従って、施工業者に対しても過酷な労働を強いることになり、このような時間帯を利用して工事することから、工期も長くなる。勿論、内装工事は間仕切りだけでなく、建物の天井、壁、床などの一般的な工事も同じように大きな騒音を伴う。
【０００９】
特開２００７−３３４１６８号に係る「防音ボックス」は、組立及び解体が容易となされ、且つ強度が高められた防音ボックスである。この防音ボックスは側壁部の上下方向が一体のパネル体を用いて形成されていることで、パネル体を積み重ねる等の作業が必要とならず左右に連結手段を用いて連結するのみで側壁部を形成し、最後に覆蓋部を設けることで容易に防音ボックスの組立が可能となり、逆の手順により解体も容易となされるが、パネル体の上下方向全体に亘って補強部が設けられていることで強度が高められ、風圧や軽微な衝突に対して対抗でき得る強度を有している。
【００１０】
ところで、この防音ボックスは風圧に耐え得る強度を備えているもので、屋外に設置して使用されるのが常である。従って、該防音ボックス内部で削岩機や地固め機などを使用する場合、発生する騒音は側壁部及び覆蓋部によって外部への伝播が抑制される。本発明が対象とする防音ボックスとは、屋外に設置して使用するものではなく、あくまでも屋内に設置される。
【００１１】
屋外に設置して使用される上記特開２００７−３３４１６８号に係る「防音ボックス」は、それなりの効果を得ることが出来るであろうが、この防音ボックスは出願人が従来から製造・販売しているブースの構造と基本的には同じ構造であり、屋内で使用する場合には目的とする所期の効果を得ることは出来ない。あくまでも屋外の建設現場に設置するものであり、間仕切り装置の据付け作業時の騒音に比較して、削岩機や地固め機などの建設機械から発する騒音は非常に大きいことから、複数のパネル体で構成される側壁部及び覆蓋部に僅かな隙間があってもそれなりの防音効果が得られる。
【特許文献１】特開２００７−３３４１６８号に係る「防音ボックス」
【発明の開示】
【発明が解決しようとする課題】
【００１２】
このように、屋外に設置される防音ボックスなるものは存在しているが、屋内に設置して同一階及び上下階の迷惑にならないようにする防音ボックスとしては要を足さない。本発明が解決しようとする課題はこの問題点であり、建物の内部に設置して防音効果のある防音間仕切りボックスを提供する。
【課題を解決するための手段】
【００１３】
間仕切り装置を据付ける場合や建物の壁、天井、床などを施工する場合には最大１００ｄＢ程度の騒音が発生する。この１００ｄＢとは電車が通過する際のガード下の騒音に匹敵する大きさであり、建物の同一階及び上下階の迷惑にならないように、従来では休日工事や夜間工事を行っている。そこで、本発明では、建物の壁や天井の下地となる軽量鉄骨、又は間仕切り装置を構成する床レールや天井レールなどの各部材の現場加工を防音間仕切りボックス内で行い、この際に発生する騒音が防音間仕切りボックスから漏れにくい構造としている。
【００１４】
本発明に係る防音間仕切りボックスは、複数枚のパネルを据付けることで側壁部及び天井部を構成し、側壁部の一部には開閉する入口ドアを取付けている。しかも、各間仕切りパネル間に残される僅かな隙間を塞ぐ為に、内面には防音クロス又は防音シートが貼着された構造としている。ここで、該防音クロスや防音シートは防音間仕切りボックスの解体を容易にする為に、マジックテープ（登録商標）やボタンなどの止着具を用いて貼着される。勿論、止着具の形態は限定しない。
【発明の効果】
【００１５】
本発明に係る防音間仕切りボックスは建物の屋内現場に組立て設置され、この防音間仕切りボックス内で各部材の加工を行うことが出来る。最も大きな騒音を発する切断加工では約１００ｄＢに達するが、防音間仕切りボックスの外では約６０ｄＢまで低下する。６０ｄＢの騒音とは通常のオフィスと同じ程度であり、何ら騒音が気になることはない。又、防音間仕切りボックスは騒音を遮断するだけでなく、切断加工などに伴って発生するホコリやチリが建物内へ飛散することを防止することが出来る。
【００１６】
このように、間仕切り装置の据付け工事やその他の建築内装工事で大きな騒音が発生しない為に、従来のような休日工事や夜間工事を行う必要はなく、平日の昼間に工事を行うことが可能となる。その結果、作業労働者にとっては楽な仕事環境となり、工事期間も短縮される。そして、ボックス内面に貼着している防音クロスや防音シートは着脱自在と成っている為に、工事が完了した折には簡単に解体することが出来、又別の現場へ搬送して組立てることで再利用が可能である。さらに、ポールを介して間仕切りパネルを連結する構造である為に、現場によってその大きさ（広さ）は自由に調整可能である。
【実施例】
【００１７】
間仕切り装置の据付け工事やその他の建築内装工事を行うに際して、大きな騒音が出ても何ら問題とならない場合もあり、必ずしも本発明に係る防音間仕切りボックス内で切断加工などの作業を行う必要のないこともある。しかし、同一階又は上下階に既にオフィスが存在している場合には、大きな騒音を抑制する為に本発明の防音間仕切りボックスが必要となる。
【００１８】
図１は間仕切り装置などの建築内装用の各部材を加工する為の防音間仕切りボックスの外観を示す具体例である。ここで、建築内装とは間仕切り装置も含めた概念であり、主として建物の壁、天井、床を対象とするが、その形態及び構造を限定するものではない。又、間仕切り装置の場合にはローパーティション、トイレブース、移動間仕切りも広義の間仕切り装置として対象とする。ところで、本発明の防音間仕切りボックスは複数枚の間仕切りパネル１，１・・が組み立てられた構造と成っており、そして、少なくとも側壁部の一箇所には出入口用のドア２が取付けられている。天井も間仕切りパネル１，１・・が配置された構造である。
【００１９】
本発明では、この防音間仕切りボックス内で建物の壁や天井などの下地となる軽量鉄骨、間仕切り装置の床レール及び天井レール、又その他の部材を所定の長さに切断する。この防音間仕切りボックスは外へ騒音が漏れにくいように、間仕切りパネル１，１・・の内面には防音クロス又は防音シートが貼着されて各間仕切りパネル１，１・・間の隙間を塞いでいる。部材を切断する際に発生する騒音は約１００ｄＢであるが、内面に貼着された上記防音クロスや防音シートにて吸収され、外へ漏れる音は小さくなる。勿論、騒音の漏れ防止だけでなく、チリやホコリが防音間仕切りボックスの外へ飛散することもない。
【００２０】
図２は上記防音間仕切りボックスの横断面の一部を、図３は縦断面の一部を夫々表している。各間仕切りパネル１，１・・の間にはポール３，３・・が介在して互いに連結し、間仕切りパネル１，１・・の内面には側面用防音クロス４，４・・が貼着され、互いに重なり合う部分に隙間が生じないようにマジックテープ５（登録商標）にて止着されている。ここで、間仕切りパネル１に取着しているツメ９，９はポール３の側面に形成したスリット溝に係合して連結しているが、間仕切りパネル１，１・・の連結構造を同図に示す場合に限定するものではない。
【００２１】
そして、該側面用防音クロス４は防炎加工が施され、間仕切りパネル１のペーパーコアには不燃性材質が使用されている。従って、防音間仕切りボックス内での切断作業中に火花が発生した場合でも防音間仕切りボックスは燃焼しない。そして、図３の縦断面に示しているように、側面に貼着した側面用防音クロス４はその上端がマジックテープ５によって落下しないように間仕切りパネル１に固定されている。
【００２２】
又、天井にも防炎加工を施した天井用防音クロス６を落下しないように固定している。さらに、床面と間仕切りパネル１の下端との間に生じる隙間７も側面用防音クロス４と巾木８にて塞がれている。巾木８はマグネット１０，１０・・にて間仕切りパネル１の外側面に取着されているが、上端にはシール１１ａが沿設して外側面１２に隙間がないように密着している。同じく下端にはシール１１ｂが沿設して床面１３に密着し、隙間７を塞いでいる。
【００２３】
そこで、間仕切り装置の据付け工事やその他の建築内装工事が完了して防音間仕切りボックスが不要になって解体する場合には、側面用防音クロス４及び天井用防音クロス６は簡単に取外すことが可能である。このように、本発明では簡単に組み立てることが出来る防音間仕切りボックスを現場に据付け、この防音間仕切りボックス内で間仕切り装置の各部材や建築内装用部材を加工する。例えば、間仕切りパネル、床レール、天井レール、スタッド、さらには建物の壁や天井を構成する石こうボード、そして石こうボードを取付ける為の下地材となる軽量鉄骨を所定の寸法に切断しなければならない。又、必要な箇所に穴及びネジ穴、更には溝などの加工を行うことが必要である。
【００２４】
ここで、最も大きな騒音を発生する加工が切断加工であり、約１００ｄＢの大きさとなる。これは電車が通過する際のガード下の騒音に匹敵し、この騒音が周囲に拡散するならば、建物の同一階及び上下階に迷惑をかけることになる。
【００２５】
しかし、上記防音間仕切りボックスを建物内部に据付けてその中で加工するならば、該防音間仕切りボックスを通過して外へ漏れる騒音は小さくなり、約６０ｄＢ程度に低下する。図４、図５はその場合の騒音の大きさを表している。
図４は巾木を高速カッターで切断した場合の騒音である。
Ａ：防音間仕切りボックスなしの状態で、切断機から３ｍの位置での騒音は９８ｄＢとなる。
Ｂ：防音間仕切りボックスを使用した場合で、切断機から３ｍの位置での騒音は７６ｄＢに低下する。
Ｃ：防音間仕切りボックスを使用した場合で、切断機から１０ｍの位置での騒音は６６ｄＢとなる。
【００２６】
図５は巾木を高速カッターで切断した場合で、切断機から５ｍ離れた隣の部屋での騒音である。
Ａ：防音間仕切りボックスなしの状態では、８２ｄＢとなる。
Ｂ：防音間仕切りボックスを使用した場合には６２ｄＢまで低下する。
防音間仕切りボックスを使用するならば、一般には図５のＢに示す状態であり、隣のオフィスでの騒音が６２ｄＢ程度ならば、該騒音が気になることはない。
【図面の簡単な説明】
【００２７】
【図１】防音間仕切りボックスの外観。
【図２】防音間仕切りボックスの一部横断面図。
【図３】防音間仕切りボックスの一部縦断面図。
【図４】同室内での騒音状態。
【図５】隣室での騒音状態。
【図６】一般的な間仕切り装置。
【符号の説明】
【００２８】
１  間仕切りパネル
２  ドア
３  ポール
４  側面用防音クロス
５  マジックテープ（登録商標）
６  天井用防音クロス
７  隙間
８  巾木
９  ツメ
10  マグネット
11  シール
12  外側面
13  床面
【図１】
0005207170.tif 000002
【図２】
0005207170.tif 000003
【図３】
0005207170.tif 000004
【図４】
0005207170.tif 000005
【図５】
0005207170.tif 000006
【図６】
0005207170.tif 000007